(57)【要約】【課題】充電中にデータ通信が可能な電子機器と充電装置との間のセキュリティを二次元コードの読み取りという簡単な操作で強化できるようにする。【解決手段】電子機器（ハンディターミナル）１を充電装置（クレードル）２に載置／接続されることにより充電及び通信が可能となっている。電子機器１は、充電装置２との充電に先だって、データを公開部と非公開部に分けることでデータの読み取りを制限することが可能な構成の二次元コード（ＳＱＲＣ）３を読み取ってデコードしておくことにより、そのデコード結果に基づいてデータ通信を制限又は許可する。【選択図】  図４
2018049642.tif 000002
【特許請求の範囲】
【請求項１】
二次電池を電源とする電子機器であって、
当該電子機器が充電装置に載置又は接続されている状態において前記二次電池に電力を供給する充電手段と、
当該電子機器が充電装置に載置又は接続されている状態において前記充電装置とデータ通信を行う通信手段と、
前記充電手段による充電に先だって、データを公開部と非公開部に分けることでデータの読み取りを制限することが可能な構成の二次元コードを読み取る読取手段と、
前記読取手段によって読み取られた二次元コードをデコードするデコード手段と、
前記デコード手段によるデコード結果に基づいて前記通信手段によるデータ通信を制限又は許可する通信制御手段と、
を備えたことを特徴とする電子機器。
【請求項２】
当該電子機器が前記充電装置に載置又は接続されている状態において前記デコード手段によるデコード結果を前記通信手段から前記充電装置に送信することによってそれ以降のデータ通信の制限又は許可を問い合わせる問合手段を更に備え、
前記通信制御手段は、前記問合手段による問い合わせに対する前記充電装置からの応答結果に基づいて前記通信手段によるデータ通信を制限又は許可する、
ようにしたことを特徴とする請求項１に記載の電子機器。
【請求項３】
前記問合手段は、前記充電装置に対して前記通信手段によるデータ通信の制限又は許可と前記充電手段による充電の種類を問い合わせ、
前記問合手段による問い合わせに対する前記充電装置からの応答結果に基づいて前記充電手段による充電の種類を制御する充電制御手段と、
を更に備える、
ようにしたことを特徴とする請求項２に記載の電子機器。
【請求項４】
前記通信制御手段は、前記デコード手段によって二次元コードの非公開部がデコードすることができなかった場合でもその公開部のデータに応じてデータ通信を許可する、
ようにしたことを特徴とする請求項１〜請求項３のいずれか１項に記載の電子機器。
【請求項５】
前記通信制御手段は、前記通信手段によるデータ通信を制限する場合に、予め決められている複数の制限レベルに応じてデータ通信を制限する、
ようにしたことを特徴とする請求項１〜請求項４のいずれか１項に記載の電子機器。
【請求項６】
前記公開部内の所定のデータを入力する入力手段を更に備え、
前記通信制御手段は、前記入力手段により所定のデータが入力されたか否かに応じた制限レベルでデータ通信を制限する、
ようにしたことを特徴とする請求項５に記載の電子機器。
【請求項７】
前記デコード手段は、前記充電手段による充電が開始される前に、前記読取手段によって前記充電装置側に添付されている印刷物又はその表示部に表示されている二次元コードが読み取られたことを条件に、その二次元コードをデコードする、
ようにしたことを特徴とする請求項１〜請求項６のいずれか１項に記載の電子機器。
【請求項８】
前記通信手段は、前記充電装置との間での近距離通信を介して通信ネットワークに接続する、
ようにしたことを特徴とする請求項１〜請求項７のいずれか１項に記載の電子機器。
【請求項９】
二次電池を充電する充電手段及び通信手段を備えた電子機器が載置又は接続された際に、当該電子機器への充電を行う充電装置であって、
前記電子機器が載置又は接続された際に、データを公開部と非公開部に分けることでデータの読み取りを制限可能な二次元コードが充電に先だって読み取られてデコードされたデコード結果を受信する受信手段と、
前記受信手段によって受信したデコード結果に基づいて、前記電子機器とのデータ通信の制限又は許可を決定する通信制御手段と、
前記通信制御手段によって決定された通信制御情報を前記電子機器に送信する送信手段と、
を備えたことを特徴とする充電装置。
【請求項１０】
前記通信制御手段は、前記受信手段によって受信したデコード結果に、その二次元コードの非公開部をデコードすることができなかったことが含まれている場合でもその公開部のデータに応じて通信許可を決定する、
ようにしたことを特徴とする請求項９に記載の充電装置。
【請求項１１】
前記通信制御手段は、前記受信手段によって受信したデコード結果に基づいて、前記電子機器とのデータ通信の制限又は許可を決定する場合に、予め決められている複数の制限レベルに応じた通信制限を決定する、
ようにしたことを特徴とする請求項９に記載の充電装置。
【請求項１２】
二次電池を電源とする電子機器のコンピュータを制御するためのプログラムであって、
前記コンピュータを、
当該電子機器が充電装置に載置又は接続されている状態において前記二次電池に電力を供給する充電手段、
当該電子機器が充電装置に載置又は接続されている状態において前記充電装置とデータ通信を行う通信手段、
前記充電手段による充電に先だって、データを公開部と非公開部に分けることでデータの読み取りを制限することが可能な構成の二次元コードを読み取る読取手段と、
前記読取手段によって読み取られた二次元コードをデコードするデコード手段、
前記デコード手段によるデコード結果に基づいて前記通信手段によるデータ通信を制限又は許可する通信制御手段、
として機能させるようにしたコンピュータ読み取り可能なプログラム。
【請求項１３】
二次電池を充電する充電手段及び通信手段を備えた電子機器が載置又は接続された際に、当該電子機器への充電を行う充電装置のコンピュータを制御するためのプログラムであって、
前記コンピュータを、
前記電子機器が載置又は接続された際に、データを公開部と非公開部に分けることでデータの読み取りを制限可能な二次元コードが充電に先だって読み取られてデコードされたデコード結果を受信する受信手段、
前記受信手段によって受信したデコード結果に基づいて、前記電子機器とのデータ通信の制限又は許可を決定する通信制御手段、
前記通信制御手段によって決定された通信制御情報を前記電子機器に送信する送信手段、
として機能させるようにしたコンピュータ読み取り可能なプログラム。
【発明の詳細な説明】
【技術分野】
【０００１】
本発明は、充電中にデータ通信が可能な電子機器、充電装置及びプログラムに関する。
【背景技術】
【０００２】
一般に、業務用途で使用する二次電池を電源とする携帯端末装置（ハンディターミナル）は、充電装置（クレードル）に載置又は接続されると、このハンディターミナルとクレードルとの間でデータ通信や非接触充電が行われる。このようにハンディターミナルとクレードルとのデータ通信や充電を簡単に行うことができるが、セキュリティ保護という面での対策は、用途が専用であるが故に十分ではなく、簡単に使えることが重視されることで大きな問題として認識されてはこなかった。ところで、従来では、非接触充電を開始する前に充電器と電子機器との間で、予め定められた認証処理を行い、その結果、認証ＯＫ（肯定）と判定された際に充電器から電子機器への充電を開始するようにした技術が知られている（特許文献１参照）。
【先行技術文献】
【特許文献】
【０００３】
【特許文献１】特開２０１２−２０４９２１号公報
【発明の概要】
【発明が解決しようとする課題】
【０００４】
しかしながら、上述の特許文献のように、充電器と電子機器との間で認証を行ったとしてもセキュリティ保護の面では十分とは言えず、充電中のデータ通信によって個人情報や秘匿な情報までも充電器を介して外部に漏えいする危険性があり、セキュリティをより強化した対策が要望されてきている。
【０００５】
本発明の課題は、充電中にデータ通信が可能な電子機器と充電装置との間のセキュリティを二次元コードの読み取りという簡単な操作で強化できるようにすることである。
【課題を解決するための手段】
【０００６】
上述した課題を解決するために本発明の電子機器は、
二次電池を電源とする電子機器であって、
当該電子機器が充電装置に載置又は接続されている状態において前記二次電池に電力を供給する充電手段と、
当該電子機器が充電装置に載置又は接続されている状態において前記充電装置とデータ通信を行う通信手段と、
前記充電手段による充電に先だって、データを公開部と非公開部に分けることでデータの読み取りを制限することが可能な構成の二次元コードを読み取る読取手段と、
前記読取手段によって読み取られた二次元コードをデコードするデコード手段と、
前記デコード手段によるデコード結果に基づいて前記通信手段によるデータ通信を制限又は許可する通信制御手段と、
を備えたことを特徴とする電子機器である。
【０００７】
上述した課題を解決するために本発明の充電装置は、
二次電池を充電する充電手段及び通信手段を備えた電子機器が載置又は接続された際に、当該電子機器への充電を行う充電装置であって、
前記電子機器が載置又は接続された際に、データを公開部と非公開部に分けることでデータの読み取りを制限可能な二次元コードが充電に先だって読み取られてデコードされたデコード結果を受信する受信手段と、
前記受信手段によって受信したデコード結果に基づいて、前記電子機器とのデータ通信の制限又は許可を決定する通信制御手段と、
前記通信制御手段によって決定された通信制御情報を前記電子機器に送信する送信手段と、
を備えたことを特徴とする充電装置である。
【発明の効果】
【０００８】
本発明によれば、充電中にデータ通信が可能な電子機器と充電装置との間のセキュリティを二次元コードの読み取りという簡単な操作で強化することができる。
【図面の簡単な説明】
【０００９】
【図１】二次電池を電源とする電子機器として適用した電子機器（ハンディターミナル）１の基本的な構成要素を示したブロック図。
【図２】充電装置（クレードル）２の基本的な構成要素を示したブロック図。
【図３】電子機器１のＮＦＣ・ワイヤレス充電部１６と充電装置２のＮＦＣ・ワイヤレス充電部２６の構成を示した図。
【図４】（１）、（２）は、電子機器１と充電装置（クレードル）２との間で近距離無線通信やワイヤレス充電を行うために実装されているアンテナの配置位置や充電装置２を説明するための図。
【図５】電源投入に応じて実行開始される電子機器１の動作（本実施形態の特徴的な動作）を説明するためのフローチャート。
【図６】図５の動作に続くフローチャート。
【図７】電源投入に応じて実行開始される充電装置２の動作（本実施形態の特徴的な動作）を説明するためのフローチャート。
【図８】実施形態の変形例において、プレート型充電装置２の外観図。
【図９】実施形態の変形例において、プレート型充電装置２の基本的な構成要素を示したブロック図。
【発明を実施するための形態】
【００１０】
以下、図１〜図７を参照して本発明の実施形態を説明する。
本実施形態は、二次電池を電源とする電子機器として、業務用途で使用する携帯端末装置（ハンディターミナル）に適用したもので、図１は、この電子機器１の基本的な構成要素を示したブロック図である。
電子機器（ハンディターミナル）１は、店舗などでの業務用のハンディタイプの端末装置であり、例えば、在庫、入荷、出荷、納品などを管理する各種の業務管理機能、バーコードなどを光学的に読み取るスキャナ機能、現在日時を計時する時計機能、非接触方式による充電機能、ＮＦＣ（近距離無線通信）機能、通信ネットワーク（図示省略）に対して無線接続する無線通信機能、携帯電話網に無線接続する電話機能などを備えている。
【００１１】
この電子機器１が通信機能付きの充電装置（クレードル）２に載置又は接続されると、この電子機器１と充電装置２との間で近距離通信や無接点充電が可能となっている。この電子機器１は、ＣＰＵ１１を中核とするもので、このＣＰＵ１１は、二次電池を有する電源部１２からの電力供給によって動作し、記憶部１３内の各種のプログラムに応じてこの電子機器１の全体動作を制御する中央演算処理装置である。記憶部１３は、例えば、ＲＯＭ、フラッシュメモリなどを有する構成で、後述する図５及び図６に示した動作手順に応じて本実施形態を実現するためのプログラムや各種のアプリケーションなどが格納されている。なお、記憶部１３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１２】
ＣＰＵ１１には、その基本的な入出力デバイス１４として、操作部１４ａ、表示部１４ｂ、スキャナ部１４ｃ、電話音声部１４ｄ、無線ＷＡＮ（Wide  Area  Network）１４ｅ、無線ＬＡＮ（Local  Area  Network）１４ｆなどが接続されており、ＣＰＵ１１は、入出力プログラムにしだかってそれらの入出力デバイスの動作を制御する。スキャナ部１４ｃは、商品などからバーコード（一次元コード）を読み取ったり、充電装置（クレードル）２に貼り付けられている特殊な二次元コードを光学的に読み取ったりするもので、ＣＰＵ１１はその読み取り結果を取得してデコードする。ここで、特殊な二次元コードとは、データを公開部と非公開部に分けることでデータの読み取りを制限することが可能な構成の二次元コード（ＳＱＲＣと呼ばれるセキュリティ機能搭載ＱＲ（Quick  Response）コード（登録商標））である。
【００１３】
また、ＣＰＵ１１には、その他の入出力デバイスとしてワイヤレス充電部１５、ＮＦＣ・ワイヤレス充電部１６、充電装置接続検出部１７などが接続されている。ワイヤレス充電部１５は、非接触電力伝送を利用して電源部（二次電池）１２を充電するもので、例えば、電磁誘導方式（無接点充電：ワイヤレス充電）の充電部である。なお、ワイヤレス充電部１５は、電磁誘導方式による充電に限らず、例えば、共鳴方式など、その他の充電方式であってもよい（以下、同様）。
【００１４】
ＮＦＣ・ワイヤレス充電部１６は、電源ケーブルを使わずに無線で送受電するワイヤレス充電として近距離無線通信のＮＦＣを使用するようにしたもので、１個のアンテナを兼用して近距離無線通信及びワイヤレス充電を可能としたものであるが、アンテナを兼用するものに限らず、個々のアンテナを設けたものであってもよい。なお、本実施形態においては、ＮＦＣ・ワイヤレス充電部１６のほかに、ワイヤレス充電部１５を設けた構成としたが、これに限らず、ＮＦＣ・ワイヤレス充電部１６を設け、ワイヤレス充電部１５を省略してもよく、また、ＮＦＣ・ワイヤレス充電部１６を近距離無線通信のＮＦＣ部とワイヤレス充電部に分けた構成であってもよい。更には、複数のＮＦＣ・ワイヤレス充電部１６を設けた構成であってもよい。
【００１５】
充電装置接続検出部１７は、接続Ｉ／Ｆ（インターフェイス）１８を介して電子機器１を充電装置２に載置又は接続されたことを検出するもので、ＣＰＵ１１はその検出信号に基づいて充電装置に載置又は接続されたことを確認すると、充電装置との間でワイヤレス充電を開始し、充電装置２からワイヤレス給電された電力を電源制御部１９によって充電用の所定電圧に変換することにより電源部（二次電池）１２を充電させるようにしている。接続Ｉ／Ｆ１８は、ＵＳＢ（Universal  Serial  Bus）ケーブルや有線ＬＡＮ（図示省略）が接続可能となっている。
【００１６】
図２は、充電装置（クレードル）２の基本的な構成要素を示したブロック図である。
充電装置（クレードル）２は、ＣＰＵ２１を中核とするもので、このＣＰＵ２１は、記憶部２２内の各種のプログラムに応じてこの充電装置２の全体動作を制御する中央演算処理装置である。記憶部２２は、例えば、ＲＯＭ、フラッシュメモリなどを有する構成で、後述する図７に示した動作手順に応じて本実施形態を実現するためのプログラムや各種のアプリケーションなどが格納されている。なお、記憶部２２は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１７】
このＣＰＵ２１には、その入出力デバイスとして、操作部２３、表示部２４、ワイヤレス充電部２５、ＮＦＣ・ワイヤレス充電部２６、電子機器接続検出部２７などが接続されている。電子機器接続検出部２７は、この充電装置２に電子機器１が載置（非接触）又は接続（接触）されたことを検出するもので、ＣＰＵ２１は、電子機器接続検出部２７からの検出信号に応じて電源制御部２８からワイヤレス充電部２５、ＮＦＣ・ワイヤレス充電部２６に電力を供給してその給電動作を開始させる。なお、電源制御部２８は、ＡＣコネクタ（図示省略）にケーブル接続されており、ＡＣコネクタから供給された電力を電圧変換して安定化させる電源制御を行う。電子機器接続検出部２７は接続Ｉ／Ｆ（インターフェイス）２９を介してＵＳＢケーブルや有線ＬＡＮに接続される。なお、充電装置２は、載置又は接続された電子機器１の識別情報を記録したり、その充電回数を更新したり、電池交換を指示したりする機能を備えている。
【００１８】
図３は、電子機器１のＮＦＣ・ワイヤレス充電部１６と、充電装置２のＮＦＣ・ワイヤレス充電部２６の構成を示した図である。
電子機器１のＮＦＣ・ワイヤレス充電部１６は、ＮＦＣアンテナ１６ａ、ＮＦＣＩＣ１６ｂ、受電ＩＣ１６ｃ、保護回路１６ｄを有している。また、充電装置２のＮＦＣ・ワイヤレス充電部２６は、ＮＦＣアンテナ２６ａ、ＮＦＣＩＣ２６ｂ、送電ＩＣ２６ｃ、保護回路２６ｄを有している。
【００１９】
電子機器１側のＮＦＣ・ワイヤレス充電部１６と充電装置２側のＮＦＣ・ワイヤレス充電部２６において、それらのＮＦＣＩＣ１６ｂとＮＦＣＩＣ２６ｂとの間では近距離無線によるデータ通信が行われ、また、それらの送電ＩＣ２６ｃと受電ＩＣ１６ｃとの間では、非接触電力伝送による給電が行われる。この場合、ＮＦＣアンテナ２６ａから高周波の交番磁界を発生させ、この交番磁界がＮＦＣアンテナ１６ａで受信されると、受電ＩＣ１６ｃは、この交番磁界に応じた交流電圧を生成すると共に直流電圧に変換するようにしている。なお、この直流電圧は、電源制御部１９によって充電用の所定電圧に変換されることにより電子機器１の電源部（二次電池）１２への充電が行われる。保護回路１６ｄ、２６ｄは、過電圧などから受電ＩＣ１６ｃ、送電ＩＣ２６ｃを保護する回路である。
【００２０】
図４は、電子機器１と充電装置２との間で近距離無線通信やワイヤレス充電を行うために実装されているアンテナの配置位置や充電装置２を説明するための図である。
図４（１）は、電子機器１の背面側を示した図である。電子機器１の背面を一端部側領域（先端部側領域）、他端部側領域（後端部側領域）、中央部側領域に分けると、その一端部側領域にはスキャナ部１４ｃが配設され、他端部側領域にはＮＦＣ・ワイヤレス充電部１６のアンテナ（ＮＦＣアンテナ）１６ａが配設され、中央部側領域には、ワイヤレス充電部１５用のアンテナ（充電アンテナ）１５ａが配設されている。
【００２１】
図４（２）は、充電装置２の概観斜視図である。
充電装置２は、一台の電子機器１を立てた状態でその後端部側を下側に向けて載置又は接続されるもので、電子機器１のＮＦＣアンテナ１６ａに対面する充電装置２の領域には、ＮＦＣ・ワイヤレス充電部２６のＮＦＣアンテナ２６ａが配設されている。充電装置２の前面部には、セキュリティ機能搭載ＱＲコード（登録商標）（ＳＱＲＣ）印刷シール３が貼り付けられている。このＳＱＲＣ印刷シール３は、電子機器１と充電装置２との間での充電時に電子機器１のセキュリティ保護のために設けられたもので、ユーザ（業務担当者など）は、ＳＱＲＣ印刷シール３をスキャナ部１４ｃによって読み取ってから電子機器１を充電装置２に載置又は接続するようにしている。また、充電装置２には、有線ＬＡＮ４に接続されており、この有線ＬＡＮ４を介してインターネット５に接続可能となっている。
【００２２】
電子機器１は、充電装置２との充電を開始するに先だって、スキャナ部１４ｃによってＳＱＲＣ印刷シール３を読み取ると、このＳＱＲＣの非公開部のデータをデコードするようにしている。この場合、非公開部のデータの復元レベルは電子機器１毎に設定するようしてもよい。そして、電子機器１は、ＳＱＲＣのデコード結果に基づいて、充電装置２とのデータ通信を制限又は許可するようにしている。すなわち、電子機器１が充電装置２に載置又は接続されている状態において、上述のデコード結果を充電装置２に送信することによってそれ以降のデータ通信の制限又は許可を問い合わせ、その問い合わせに対する充電装置２からの応答結果に基づいてデータ通信を制限又は許可するようにしている。この場合、充電装置２は、ＳＱＲＣのデコード結果を受信すると、そのデコード結果に基づいて、データ通信の制限又は許可を決定して通信制御情報（後述する通信制限レベルなど）を電子機器２に送信するようにしている。
【００２３】
このように本実施形態において電子機器（ハンディターミナル）１は、二次電池１２を電源とする電子機器であって、当該電子機器１が充電装置（クレードル）２に載置又は接続されている状態において前記二次電池１２に電力を供給する充電手段（ＣＰＵ１１、ワイヤレス充電部１５、ＮＦＣ・ワイヤレス充電部１６、充電装置接続検出部１７、電源制御部１８）と、当該電子機器１が充電装置２に載置又は接続されている状態において前記充電装置２との間でデータ通信を行う通信手段（ＮＦＣ・ワイヤレス充電部１６）と、前記充電手段による充電に先だって、データを公開部と非公開部に分けることでデータの読み取りを制限することが可能な構成の二次元コード（ＳＱＲＣ）を読み取る読取手段（ＣＰＵ１１、スキャナ部１４ｃ）と、前記読取手段によって読み取られた二次元コードをデコードするデコード手段（ＣＰＵ１１）と、前記デコード手段によるデコード結果に基づいて前記通信手段によるデータ通信を制限又は許可する通信制御手段（ＣＰＵ１１、ＮＦＣ・ワイヤレス充電部１６）と、を備える構成となっている。
【００２４】
また、本実施形態において充電装置（クレードル）２は、二次電池１２を充電する充電手段及び通信手段を備えた電子機器（ハンディターミナル）１が載置又は接続された際に、当該電子機器１への充電を行う充電装置であって、前記電子機器１が載置又は接続された際に、データを公開部と非公開部に分けることでデータの読み取りを制限可能な二次元コード（ＳＱＲＣ）が充電に先だって読み取られてデコードされたデコード結果を受信する受信手段（ＣＰＵ２１、ＮＦＣ・ワイヤレス充電部２６）と、前記受信手段によって受信したデコード結果に基づいて、前記電子機器１とのデータ通信の制限又は許可を決定する通信制御手段（ＣＰＵ２１、記憶部２２）と、前記通信制御手段によって決定された通信制御情報を前記電子機器１に送信する送信手段（ＣＰＵ２１、ＮＦＣ・ワイヤレス充電部２６）と、を備える構成となっている。
【００２５】
次に、本実施形態における電子機器（ハンディターミナル）１の動作概念を図５及び図６に示すフローチャート、また、充電装置（クレードル）２の動作概念を図７に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００２６】
図５及び図６は、電源投入に応じて実行開始される電子機器１の動作（本実施形態の特徴的な動作）を説明するためのフローチャートである。
先ず、電子機器１のＣＰＵ１は、電源投入操作に応じてメモリなどをクリアする初期化処理（図５のステップＡ１）を実行した後、スキャナ部１４ｃによって二次元コード（ＳＱＲＣ）が読み取られたかを調べたり（ステップＡ２）、充電装置（クレードル）２に載置／接続されたかを調べたり（ステップＡ３）、充電装置２が解除されたかを調べたりする（ステップＡ４）。ここで、その他の操作が行われたときには（ステップＡ４でＮＯ）、その操作に応じた処理として在庫管理、入荷などの各種の業務管理機能（ステップＡ１２）を行った後、ステップＡ１に戻る。
【００２７】
いま、二次元コード（ＳＱＲＣ）が読み取られた場合には（ステップＡ２でＹＥＳ）、そのＳＱＲＣの非公開部のデータをデコードする（ステップＡ５）。そして、そのデコード結果を充電装置２に送信するためのデータとして記憶部１３のワークメモリ（図示省略）に一時記憶しておく（ステップＡ６）。その後、ステップＡ２に戻る。また、電子機器１が充電装置２に載置／接続されたことが検出されると（ステップＡ３でＹＥＳ）、電子機器１と充電装置２との間、つまり、ＮＦＣ・ワイヤレス充電部１６、２６間で自己の識別情報（ＩＤ）を交信して相手を認証し（ステップＡ７）、その結果、認証ＯＫ（肯定）であるかを調べる（ステップＡ８）。
【００２８】
認証ＮＧ（否定）であれば（ステップＡ８でＮＯ）、上述のステップＡ２に戻るが、認証ＯＫ（肯定）であれば（ステップＡ８でＹＥＳ）、一時記憶のデコード結果を充電装置２に送信する（ステップＡ９）。そして、このデコード結果に対して充電装置２から応答があるまで待ち状態となる（ステップＡ１０）。すなわち、電子機器１が充電装置２に載置又は接続されている状態において、上述のデコード結果を充電装置２に送信することによってそれ以降のデータ通信の制限又は許可を問い合わせ、その問い合わせに対して充電装置２からの応答を受けるまで待ち状態となる。
【００２９】
図７は、電源投入に応じて実行開始される充電装置２の動作（本実施形態の特徴的な動作）を説明するためのフローチャートである。
先ず、充電装置２のＣＰＵ２１は、電子機器１に載置／接続されたかを調べたり（ステップＢ１）、電子機器１が解除されたかを調べたりする（ステップＢ２）。ここで、電子機器１が載置／接続されたときには（ステップＢ１でＹＥＳ）、電子機器１と充電装置２との間、つまり、ＮＦＣ・ワイヤレス充電部１６、２６間で自己の識別情報（ＩＤ）を交信して相手を認証し（ステップＢ３）、認証ＯＫ（肯定）であるかを調べ（ステップＢ４）、認証ＮＧ（否定）であれば（ステップＢ４でＮＯ）、上述のステップＢ１に戻るが、認証ＯＫ（肯定）であれば（ステップＢ４でＹＥＳ）、電子機器１から送信されてくるＳＱＲＣのデコード結果を受信したかを調べる（ステップＢ５）。
【００３０】
いま、ＳＱＲＣのデコード結果を受信したときには（ステップＢ５でＹＥＳ）、ＳＱＲＣの非公開部がデコードされたかを調べ（ステップＢ６）、非公開部がデコードされている場合には（ステップＢ６でＹＥＳ）、データ通信に制限を与えないこと（全通信を許可すること）を示すために通信制限レベル“１”を電子機器１に対して送信すると共に（ステップＢ７）、急速充電を指示する充電レベル“１”を電子機器１に対して送信する（ステップＢ８）。その後、ステップＢ１に戻る。
【００３１】
また、ＳＱＲＣの非公開部のデータがデコードされなかったときには（ステップＢ６でＮＯ）、その公開部内の一部のデータ（例えば、制限解除用のデータ）を入力すべきことを促すメッセージを電子機器１に対して送信する（ステップＢ９）。このメッセージの送信に応答して電子機器１からそのデータが入力されたかを調べ（ステップＢ１０）、入力されたときには（ステップＢ１０でＹＥＳ）、その入力データ（例えば、制限解除用のデータ）と予め記憶しているデータを比較することにより正しいデータであるかを照合する（ステップＢ１１）。
【００３２】
その結果、正しいデータであれば、つまり、照合ＯＫであれば（ステップＢ１２でＹＥＳ）、データ通信の一部を制限することを示すために通信制限レベル“２”を電子機器１に対して送信すると共に（ステップＢ１３）、中速充電を指示する充電レベル“２”を電子機器１に対して送信する（ステップＢ１５）。その後、ステップＢ１に戻る。他方、入力データを受信しなかったとき（ステップＢ１０でＮＯ）、又は入力データを受信したとしても正しいデータでなかったときには、つまり、照合ＮＧを検出したときには（ステップＢ１２でＮＯ）、全てのデータ通信を制限すること（通信を許可しないこと）を示すために通信制限レベル“３”を電子機器１に対して送信すると共に（ステップＢ１４）、中速充電を指示する充電レベル“２”を電子機器１に対して送信する（ステップＢ１５）。
その後、ステップＢ１に戻る。
【００３３】
電子機器１は、ＳＱＲＣのデコード結果の送信に対する充電装置２からの応答待ち状態において（図５のステップＡ１０）、その応答を受信すると（ステップＡ１０でＹＥＳ）、図６のフローに移り、その応答は通信制限レベル“１”であるかを調べる（ステップＡ１１）。ここで、通信制限レベル“１”であれば（ステップＢ１１でＹＥＳ）、データ通信を制限しない状態、つまり、充電装置２との近距離通信を介してＷＡＮ及びＬＡＮへの接続が許可された場合であるから有線ＬＡＮ４を介してインターネット５との通信を可能な状態とする（ステップＡ１２）。これによって電子機器１は、充電装置２を介してＷＡＮ及びＬＡＮの通信を開始可能な状態となる（ステップＡ１９）。そして、ステップＡ２０に移り、充電レベルは“１”であるかを調べるが、いま、充電レベルは“１”であるから（ステップＡ２０でＹＥＳ）、急速充電を開始する（ステップＡ２１）。その後、図５のステップＡ２に戻る。
【００３４】
また、電子機器１は、充電装置２からの応答が通信制限レベル“１”でなければ（ステップＡ１１でＮＯ）、つまり、ＳＱＲＣを構成する公開部分の一部のデータ（例えば、制限解除用のデータ）の入力を促すメッセージを受信したときには、その受信メッセージを表示させる（ステップＡ１３）。この状態において、ユーザ操作によりデータが入力されたかを調べ（ステップＡ１４）、データが入力されたときには（ステップＡ１４でＹＥＳ）、その入力データを充電装置２に送信する（ステップＡ１５）。
【００３５】
そして、充電装置２から通信制限レベル“２”を受信したかを調べ（ステップＡ１６）、通信制限レベル“２”を受信したときには（ステップＡ１６でＹＥＳ）、データ通信の一部を制限する状態、つまり、充電装置２との近距離通信を介してＷＡＮとの接続は許可されるが、ＬＡＮへの接続が制限された場合であるから有線ＬＡＮ４経由でインターネット５との通信を可能とする（ステップＡ１７）。これによって電子機器１は、充電装置２を介してＷＡＮの通信を開始可能な状態となる（ステップＡ１９）。そして、ステップＡ２０に移り、充電レベルは“１”であるかを調べるが、いま、充電レベルは“２”であるから（ステップＡ２０でＮＯ）、中速充電を開始する（ステップＡ２２）。その後、図５のステップＡ２に戻る。
【００３６】
また、ＳＱＲＣを構成する公開部の一部のデータが入力されなかった場合（ステップＡ１４でＮＯ）、又はそのデータが入力されても充電装置２から通信制限レベル“３”が送信された場合には（ステップＡ１６でＮＯ）、次のステップＡ１８に移り、全てのデータ通信を制限する状態、つまり、充電装置２との近距離通信を介してＷＡＮ及びＬＡＮへの接続が制限された場合であるからＷＡＮ及びＬＡＮへの通信を制限する。この場合、充電レベルは“２”であるから（ステップＡ２０でＮＯ）、中速充電を開始する（ステップＡ２２）。その後、図５のステップＡ２に戻る。
【００３７】
他方、電子機器１において充電装置２との載置又は接続が解除されたときには（図５のステップＡ４でＹＥＳ）、充電及び通信を停止する処理（ステップＡ１１）を行った後、最初のステップＡ２に戻る。
また、同様に、充電装置２において電子機器１が解除されたときには（図７のステップＢ２でＹＥＳ）、充電及び通信を停止する処理（ステップＢ１６）を行った後、最初のステップＢ１に戻る。
【００３８】
以上のように、実施形態において電子機器（ハンディターミナル）１は、充電装置２との充電に先だって、データを公開部と非公開部に分けることでデータの読み取りを制限することが可能な構成の二次元コードを読み取ってデコードしておくことにより、そのデコード結果に基づいてデータ通信を制限又は許可するようにしたので、電子機器１が充電装置２に載置又は接続されている状態において、その充電中に電子機器１と充電装置２との間のセキュリティを二次元コードの読み取りという簡単な操作で強化することができる。この場合、従来のようにＮＦＣのみ場合に比べて、ＮＦＣとＳＱＲＣとの組み合わせによりセキュリティを強化することができる。
【００３９】
電子機器１は、充電装置２に載置又は接続されている状態において二次元コードのデコード結果を充電装置２に送信することによってそれ以降のデータ通信の制限又は許可を問い合わせ、その問い合わせに対する充電装置２からの応答結果に基づいてデータ通信を制限又は許可するようにしたので、充電装置２との連携によってセキュリティを強化することが可能となる。
【００４０】
電子機器１は、充電装置２に対してデータ通信の制限又は許可と充電の種類を問い合わせ、その問い合わせに対する応答結果に基づいて充電の種類を制御するようにしたので、セキュリティ強化と共に、充電の種類を制御することも可能となる。
【００４１】
電子機器１は、ＳＱＲＣを構成する非公開部をデコードすることができなかった場合でも公開部のデータに応じてデータ通信を許可するようにしたので、非公開部をデコードすることができない機種であってもデータ通信を許可することができ、柔軟な対応が可能となる。つまり、他機種に対してある程度のセキュリティを維持することが良い場合に有効なものとなる。
【００４２】
電子機器１は、データ通信を制限する場合に、予め決められている複数の制限レベルに応じてデータ通信を制限するようにしたので、例えば、ＷＡＮとの接続は許可するがＬＡＮへの接続を制限するような一部制限が可能となる。
【００４３】
電子機器１は、ＳＱＲＣを構成する公開部内の所定のデータ（例えば、制限解除用のデータ）が入力されたか否かに応じた制限レベルでデータ通信を制限するようにしたので、データ入力を条件としてデータ通信の制限を一部解除することができる。つまり、データを入力する操作を行ってまでデータ通信を希望する他機種のユーザに対しては、セキュリティ上、問題のない範囲内であることを条件にデータ通信の制限を一部解除することができる。
【００４４】
電子機器１は、充電装置２に貼り付けられているＳＱＲＣ印刷シール３をスキャナ部１４ｃによって読み取るようにしたので、ＳＱＲＣの読み取りが容易なものとなる。
【００４５】
電子機器１は、充電装置２との間での近距離通信を介して通信ネットワーク（有線ＬＡＮ４、インターネット５）に接続するようにしたので、セキュリティ強化の必要性の高い環境で特に有効なものとなる。
【００４６】
充電装置２は、電子機器１への充電に先だって、電子機器１によって二次元コード（ＳＱＲＣ）が読み取られてデコードされたデコード結果を電子機器１から受信し、そのデコード結果に基づいて、電子機器１とのデータ通信の制限又は許可を決定するようにしたので、電子機器１と充電装置２との間のセキュリティを二次元コードの読み取りという簡単な操作で強化することができると共に、充電装置２との連携によってセキュリティを強化することが可能となる。
【００４７】
充電装置２は、電子機器１から受信したデコード結果に、そのＳＱＲＣの非公開部をデコードすることができなかったことが含まれている場合でもその公開部のデータに応じて通信許可を決定するようにしたので、柔軟な対応が可能となり、例えば、他機種に対してある程度のセキュリティを維持することが良い場合に有効なものとなる。
【００４８】
充電装置２は、電子機器１から受信したデコード結果に基づいて、電子機器１とのデータ通信の制限又は許可を決定する場合に、予め決められている複数の制限レベルに応じた通信制限を決定するようにしたので、例えば、ＷＡＮとの接続は許可するがＬＡＮへの接続を制限するような一部制限が可能となる。
【００４９】
なお、上述した実施形態においては、電子機器１を充電装置２に１対１の関係で載置／接続するようにしたが、図８に示すように複数台の電子機器１を１台の充電装置２に載置／接続可能としたものであってもよい。また、上述した実施形態においては、充電装置２の前面にＳＱＲＣ印刷シール３を貼り付けるようにしたが、図８に示すようにＳＱＲＣ印刷シール３に代わってＳＱＲＣを充電装置２の表示部２４に表示するようにしてもよい。この場合、ＳＱＲＣを表示部２４に表示させる際には、一定期間毎又は一回の充電が終わる毎に、異なる内容のＳＱＲＣに切り替え表示するようにしてもよい。
【００５０】
図８は、複数台の電子機器１を載置可能としたプレート型の充電装置２を示した外観図である。
プレート型充電装置２は、その全体が平板状に形成され、その平板部分には４台の電子機器（ハンディターミナル）１が載置可能とした構成となっている。この場合においても、電子機器１と充電装置２とは個別に充電可能であると共にデータ通信が可能となっており、電子機器１を載置する箇所はおおよそ決まっているが、その充電・通信可能エリアは厳密なものではない。この充電装置２の平板部分の一隅部（図示の例では左下部）には表示部２４が配設されている。
【００５１】
充電装置２の表示部２４は、例えば、タッチパネル付の液晶表示装置（タッチ入力表示部）で、ＳＱＲＣが表示されていない状態、例えば、他のデータが表示されている状態において、この表示部２４に人体（指）がタッチされると、一定時間、ＳＱＲＣ（二次元コード）を表示部２４に表示するようにしている。この表示部２４にＳＱＲＣが表示されている状態において、電子機器１のスキャナ部１４ｃによってＳＱＲＣを読み取るようにすればよい。また、一定期間毎又は一回の充電が終わる毎に、異なる内容のＳＱＲＣに切り替え表示するようにしている。
【００５２】
図９は、プレート型充電装置２の基本的な構成要素を示したブロック図である。
充電装置２は、上述した実施形態と同様に、ＣＰＵ２１、記憶部２２、操作部２３、表示部２４、電子機器接続検出部２７、電源制御部２８、接続Ｉ／Ｆ２９を有するほか、４組のワイヤレス充電部２５−１〜２５−４、ＮＦＣ・ワイヤレス充電部２６−１〜２６−４を有する構成となっている。図中、（１）〜（４）は、１組（１）〜４組（４）に対応するワイヤレス充電部及びＮＦＣ・ワイヤレス充電部を示し、それらは同一の構成となっている。
【００５３】
このように複数台（例えば、４台）の電子機器１を１台の充電装置２に載置／接続可能とすることにより全体として効率の良い充電が可能となるほか、この場合においても個々の電子機器１は、充電装置２との充電に先だって、ＳＱＲＣ（二次元コード）を読み取ってデコードしておくことにより、そのデコード結果に基づいてデータ通信を制限又は許可したり、充電の種類を制御したりするようにすれば、充電中に電子機器１と充電装置２との間のセキュリティを二次元コードの読み取りという簡単な操作で強化することができると共に、充電を制御することも可能となる。
【００５４】
また、充電装置２は、ＳＱＲＣを自己の表示部２４に表示するようにすれば、ＳＱＲＣの内容を必要に応じて容易に変更することができ、更にセキュリティを強化することが可能となる。
【００５５】
また、充電装置２は、その表示部２４に人体（指）がタッチされると、ＳＱＲＣ（二次元コード）を表示部２４に一定時間表示するようにすれば、ＳＱＲＣの存在を知っているか否かに応じてデータ通信を制限したり、充電の種類を制御したりすることが可能となる。
【００５６】
また、充電装置２は、一定期間毎又は一回の充電が終わる毎に、異なる内容のＳＱＲＣに切り替え表示するようにすれば、更にセキュリティを強化することができる。
【００５７】
上述した実施形態において充電装置２は、どのような電子機器１が載置／接続されたかに拘わらず、各電子機器１に対して一律に通信制限レベル“１”〜“３”を決定するようにしたが、載置／接続された電子機器１を認識することによって電子機器１毎に異なる内容の通信制限レベルを決定するようにしてもよい。
【００５８】
上述した実施形態において電子機器１は、充電装置２に載置又は接続されている状態において二次元コードのデコード結果を充電装置２に送信することによってそれ以降のデータ通信の制限又は許可を問い合わせ、その問い合わせに対する充電装置２からの応答結果に基づいてデータ通信を制限又は許可するようにしたが、電子機器１は、充電装置２への問い合わせを行わず、電子機器１自身が二次元コードのデコード結果に基づいて、つまり、非公開部をデコードすることができたか否かにに基づいてデータ通信を制限又は許可するようにしてもよい。
【００５９】
上述した実施形態においては、データ通信の制限レベルとして、通信制限レベル“１”〜“３”を例示したが、それに限らず、４レベル以上の通信制限レベルを細かく設定することによって、例えば、特定のデータベースへのアクセスを禁止したりするようにしてもよい。同様に充電レベルも３レベル以上に設定するようにしてもよい。また、充電レベルとして充電の可否を設定するようにしてもよい。
【００６０】
上述した実施形態においては、電子機器１と充電装置２との間での充電手段として非接触方式のワイヤレス充電を例示したが、電子機器１と充電装置２をコネクタ接続する接触方式の充電であってもよい。
【００６１】
上述した実施形態においては、電子機器１としてハンディターミナルに適用した場合を示したが、これに限らず、スマートフォンなどの携帯電話機、ＰＤＡ（個人向け携帯型情報通信機器）、デジタルカメラ、音楽プレイヤー、タブレット装置、音楽プレイヤーなどであってもよい。
【００６２】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００６３】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
二次電池を電源とする電子機器であって、
当該電子機器が充電装置に載置又は接続されている状態において前記二次電池に電力を供給する充電手段と、
当該電子機器が充電装置に載置又は接続されている状態において前記充電装置とデータ通信を行う通信手段と、
前記充電手段による充電に先だって、データを公開部と非公開部に分けることでデータの読み取りを制限することが可能な構成の二次元コードを読み取る読取手段と、
前記読取手段によって読み取られた二次元コードをデコードするデコード手段と、
前記デコード手段によるデコード結果に基づいて前記通信手段によるデータ通信を制限又は許可する通信制御手段と、
を備えたことを特徴とする電子機器である。
（請求項２）
請求項２に記載の発明は、請求項１に記載の電子機器において、
当該電子機器が前記充電装置に載置又は接続されている状態において前記デコード手段によるデコード結果を前記通信手段から前記充電装置に送信することによってそれ以降のデータ通信の制限又は許可を問い合わせる問合手段を更に備え、
前記通信制御手段は、前記問合手段による問い合わせに対する前記充電装置からの応答結果に基づいて前記通信手段によるデータ通信を制限又は許可する、
ようにしたことを特徴とする電子機器である。
（請求項３）
請求項３に記載の発明は、請求項２に記載の電子機器において、
前記問合手段は、前記充電装置に対して前記通信手段によるデータ通信の制限又は許可と前記充電手段による充電の種類を問い合わせ、
前記問合手段による問い合わせに対する前記充電装置からの応答結果に基づいて前記充電手段による充電の種類を制御する充電制御手段と、
を更に備える、
ようにしたことを特徴とする電子機器である。
（請求項４）
請求項４に記載の発明は、請求項１〜請求項３のいずれか１項に記載の電子機器において、
前記通信制御手段は、前記デコード手段によって非公開部をデコードすることができなかった場合でも公開部のデータに応じてデータ通信を許可する、
ようにしたことを特徴とする電子機器である。
（請求項５）
請求項５に記載の発明は、請求項１〜請求項３のいずれか１項に記載の電子機器において、
前記通信制御手段は、前記判別手段によって二次元コードの非公開部をデコードすることができなかった場合でもその公開部のデータに応じてデータ通信を許可する、
ようにしたことを特徴とする電子機器である。
（請求項６）
請求項６に記載の発明は、請求項５に記載の電子機器において、
前記公開部内の所定のデータを入力する入力手段を更に備え、
前記通信制御手段は、前記入力手段により所定のデータが入力されたか否かに応じた制限レベルでデータ通信を制限する、
ようにしたことを特徴とする電子機器である。
（請求項７）
請求項７に記載の発明は、請求項１〜請求項６のいずれか１項に記載の電子機器において、
前記デコード手段は、前記充電手段による充電が開始される前に、前記読取手段によって前記充電装置側に添付されている印刷物又はその表示部に表示されている二次元コードが読み取られたことを条件に、その二次元コードをデコードする、
ようにしたことを特徴とする電子機器である。
（請求項８）
請求項８に記載の発明は、請求項１〜請求項７のいずれか１項に記載の電子機器において、
前記通信手段は、前記充電装置との間での近距離通信を介して通信ネットワークに接続する、
ようにしたことを特徴とする電子機器である。
（請求項９）
請求項９に記載の発明は、
二次電池を充電する充電手段及び通信手段を備えた電子機器が載置又は接続された際に、当該電子機器への充電を行う充電装置であって、
前記電子機器が載置又は接続された際に、データを公開部と非公開部に分けることでデータの読み取りを制限可能な二次元コードが充電に先だって読み取られてデコードされたデコード結果を受信する受信手段と、
前記受信手段によって受信したデコード結果に基づいて、前記電子機器とのデータ通信の制限又は許可を決定する通信制御手段と、
前記通信制御手段によって決定された通信制御情報を前記電子機器に送信する送信手段と、
を備えたことを特徴とする充電装置である。
（請求項１０）
請求項１０に記載の発明は、請求項９に記載の充電装置において、
前記通信制御手段は、前記受信手段によって受信したデコード結果に、その二次元コードの非公開部をデコードすることができなかったことが含まれている場合でもその公開部のデータに応じて通信許可を決定する、
ようにしたことを特徴とする充電装置である。
（請求項１１）
請求項１１に記載の発明は、請求項９に記載の充電装置において、
前記通信制御手段は、前記受信手段によって受信したデコード結果に基づいて、前記電子機器とのデータ通信の制限又は許可を決定する場合に、予め決められている複数の制限レベルに応じた通信制限を決定する、
ようにしたことを特徴とする充電装置である。
（請求項１２）
請求項１２に記載の発明は、
二次電池を電源とする電子機器のコンピュータを制御するためのプログラムであって、
前記コンピュータを、
当該電子機器が充電装置に載置又は接続されている状態において前記二次電池に電力を供給する充電手段、
当該電子機器が充電装置に載置又は接続されている状態において前記充電装置とデータ通信を行う通信手段、
前記充電手段による充電に先だって、データを公開部と非公開部に分けることでデータの読み取りを制限することが可能な構成の二次元コードを読み取る読取手段と、
前記読取手段によって読み取られた二次元コードをデコードするデコード手段、
前記デコード手段によるデコード結果に基づいて前記通信手段によるデータ通信を制限又は許可する通信制御手段、
として機能させるようにしたコンピュータ読み取り可能なプログラムである。
（請求項１３）
請求項１３に記載の発明は、
二次電池を充電する充電手段及び通信手段を備えた電子機器が載置又は接続された際に、当該電子機器への充電を行う充電装置のコンピュータを制御するためのプログラムであって、
前記コンピュータを、  前記電子機器が載置又は接続された際に、データを公開部と非公開部に分けることでデータの読み取りを制限可能な二次元コードが充電に先だって読み取られてデコードされたデコード結果を受信する受信手段、
前記受信手段によって受信したデコード結果に基づいて、前記電子機器とのデータ通信の制限又は許可を決定する通信制御手段、
前記通信制御手段によって決定された通信制御情報を前記電子機器に送信する送信手段、
として機能させるようにしたコンピュータ読み取り可能なプログラムである。
【符号の説明】
【００６４】
１  電子機器
２  充電装置
３  ＳＱＲＣ印刷シール
４  有線ＬＡＮ
５  インターネット
１１、２１  ＣＰＵ
１３、２２  記憶部
１４ｃ  スキャナ部
１５、２５、２５−１〜２５−５  ワイヤレス充電部
１６、２６、２６−１〜２６−５  ＮＦＣ・ワイヤレス充電部
１７  充電装置接続検出部
１８、２８  電源制御部
２４  表示部
２７  電子機器接続検出部
【図１】
2018049642.tif 000003
【図２】
2018049642.tif 000004
【図３】
2018049642.tif 000005
【図４】
2018049642.tif 000006
【図５】
2018049642.tif 000007
【図６】
2018049642.tif 000008
【図７】
2018049642.tif 000009
【図８】
2018049642.tif 000010
【図９】
2018049642.tif 000011
【手続補正書】
【提出日】平成29年11月13日(2017.11.13)
【手続補正２】
【補正対象書類名】明細書
【補正対象項目名】０００１
【補正方法】変更
【補正の内容】
【０００１】
本発明は、通信システム及び通信方法に関する。
【手続補正３】
【補正対象書類名】明細書
【補正対象項目名】０００５
【補正方法】変更
【補正の内容】
【０００５】
本発明の課題は、二次元コードのスキャンという簡単な操作でセキュリティを強化できるようにすることである。
【手続補正４】
【補正対象書類名】明細書
【補正対象項目名】０００６
【補正方法】変更
【補正の内容】
【０００６】
上述した課題を解決するために本発明に係る通信システムは、所定の電子機器を立て掛け可能に構成されたクレードルを備えた通信システムであって、前記クレードルに前記電子機器が所定の向きとなるように立て掛けられることにより前記電子機器との間での通信が可能になる通信手段を備え、前記通信手段は、前記電子機器が前記クレードルに立て掛けられるのに先立って前記電子機器がスキャンした前記クレードルに対応する二次元コードの前記電子機器によるデコード結果を、前記通信の開始時に受信し、この受信したデコード結果に対応させて前記通信での許可内容または制限内容を切り替えることを特徴とする。
【手続補正５】
【補正対象書類名】明細書
【補正対象項目名】０００７
【補正方法】変更
【補正の内容】
【０００７】
上述した課題を解決するために本発明に係る通信方法は、所定の電子機器を立て掛け可能に構成されたクレードルを用いた通信方法であって、前記クレードルに前記電子機器が所定の向きとなるように立て掛けられることにより前記電子機器との間での通信を開始する通信開始ステップを有し、前記通信開始ステップでは、前記電子機器が前記クレードルに立て掛けられるのに先立って前記電子機器がスキャンした前記クレードルに対応する二次元コードの前記電子機器によるデコード結果を、前記通信の開始時に受信し、この受信したデコード結果に対応させて前記通信での許可内容または制限内容を切り替えることを特徴とする。
【手続補正６】
【補正対象書類名】明細書
【補正対象項目名】０００８
【補正方法】変更
【補正の内容】
【０００８】
本発明によれば、二次元コードのスキャンという簡単な操作でセキュリティを強化できる。
【手続補正７】
【補正対象書類名】特許請求の範囲
【補正対象項目名】全文
【補正方法】変更
【補正の内容】
【特許請求の範囲】
【請求項１】
所定の電子機器を立て掛け可能に構成されたクレードルを備えた通信システムであって、
前記クレードルに前記電子機器が所定の向きとなるように立て掛けられることにより前記電子機器との間での通信が可能になる通信手段を備え、
前記通信手段は、前記電子機器が前記クレードルに立て掛けられるのに先立って前記電子機器がスキャンした前記クレードルに対応する二次元コードの前記電子機器によるデコード結果を、前記通信の開始時に受信し、この受信したデコード結果に対応させて前記通信での許可内容または制限内容を切り替えることを特徴とする通信システム。
【請求項２】
前記二次元コードには、所定の電子機器ではデコードが制限される非公開部分が含まれていることを特徴とする請求項１に記載の通信システム。
【請求項３】
前記クレードルは、前記電子機器が所定の向きとなるように立て掛けられることにより前記電子機器に搭載されている二次電池を充電可能に構成されていることを特徴とする請求項１または２に記載の通信システム。
【請求項４】
前記クレードルに前記二次元コードが貼付されていることを特徴とする請求項１から３の何れかに記載の通信システム。
【請求項５】
所定の電子機器を立て掛け可能に構成されたクレードルを用いた通信方法であって、
前記クレードルに前記電子機器が所定の向きとなるように立て掛けられることにより前記電子機器との間での通信を開始する通信開始ステップを有し、
前記通信開始ステップでは、前記電子機器が前記クレードルに立て掛けられるのに先立って前記電子機器がスキャンした前記クレードルに対応する二次元コードの前記電子機器によるデコード結果を、前記通信の開始時に受信し、この受信したデコード結果に対応させて前記通信での許可内容または制限内容を切り替えることを特徴とする通信方法。